(57)【特許請求の範囲】
【請求項１】
第１表示領域と第２表示領域とを有する端末装置であって、
前記第１表示領域に表示させるデータを指定する指定手段と、
前記指定手段によって指定されたデータの表示内容の全体を前記第１表示領域に表示可能か否かを判別する判別手段と、
前記判別手段によって、前記データの表示内容の全体を前記第１表示領域に表示可能でないと判別された場合に、前記データの表示内容のどの部分を前記第１表示領域に表示させるかを選択するための選択用情報を前記第２表示領域に表示させる第１表示制御手段と
を備えることを特徴とする端末装置。
【請求項２】
請求項１に記載の端末装置であって、
前記第１表示制御手段は、前記選択用情報を前記第２表示領域に表示させるとともに、前記データの表示内容の所定の部分を前記第１表示領域に表示させることを特徴とする端末装置。
【請求項３】
請求項１に記載の端末装置であって、
前記第１表示制御手段は、前記判別手段によって、前記データの表示内容の全体を前記第１表示領域に表示可能であると判別された場合に、前記データに対して行う操作を指示するための操作用情報を前記第２表示領域に表示させることを特徴とする端末装置。
【請求項４】
請求項３に記載の端末装置であって、
前記第１表示制御手段は、前記操作用情報を前記第２表示領域に表示させるとともに、前記データの表示内容の全体を前記第１表示領域に表示させることを特徴とする端末装置。
【請求項５】
請求項１に記載の端末装置であって、
前記第２表示領域への接触操作を検出する検出手段と、
前記選択用情報と、前記検出手段によって検出された前記第２表示領域への接触操作とに基づいて、前記データの表示内容のどの部分を前記第１表示領域に表示させるかを選択する選択手段と、
前記選択手段によって選択された部分を前記第１表示領域に表示させる第２表示制御手段と
をさらに備えることを特徴とする端末装置。
【請求項６】
請求項１に記載の端末装置であって、
前記判別手段は、前記データに複数ページまたは複数シートが含まれていないか否かを判別することによって、前記データの表示内容の全体を前記第１表示領域に表示可能か否かを判別することを特徴とする端末装置。
【請求項７】
請求項１に記載の端末装置であって、
前記判別手段は、前記データに含まれる情報量に基づいて、前記データの表示内容の全体を前記第１表示領域に表示可能か否かを判別することを特徴とする端末装置。
【請求項８】
請求項１に記載の端末装置であって、
前記判別手段は、前記データの表示内容の全体を所定の縮尺で前記第１表示領域に表示可能か否かを判別することによって、前記データの表示内容の全体を前記第１表示領域に表示可能か否かを判別することを特徴とする端末装置。
【請求項９】
コンピュータに、
第１表示領域に表示させるデータを指定する機能と、
前記データの表示内容の全体を前記第１表示領域に表示可能か否かを判別する機能と、
前記データの表示内容の全体を前記第１表示領域に表示可能でないと判別された場合に、前記データの表示内容のどの部分を前記第１表示領域に表示させるかを選択するための選択用情報を第２表示領域に表示させる機能と
を実現させるためのプログラム。
【発明の詳細な説明】
【技術分野】
【０００１】
本発明は、端末装置、及びプログラムに関し、表示させるデータに応じて、表示を制御することにより、ユーザ操作を容易にする技術に関する。
【背景技術】
【０００２】
複数の画面を備え、それら画面のうちいくつかの画面が主にデータを表示する主表示用画面（主表示領域）となり、別のいくつかの画面が主に操作用の情報（操作キーなど）を表示し接触による操作が可能な主操作用画面（主操作用領域）となっている携帯電話などの端末装置が提案されている。また複数の画面ではなく、１画面内のある領域を主表示用領域とし、別の領域を主操作用領域としている端末装置もある。
【０００３】
特許文献１には、複数備えている表示部（画面）の少なくとも１つが、接触による操作が可能なタッチパネル表示部となっていて、その表示部に操作キーを表示させたり、他の表示部とは異なるアプリケーションを表示させたりする携帯端末装置が開示されている。
【特許文献１】特開２００６−２７９３６１号公報
【発明の開示】
【発明が解決しようとする課題】
【０００４】
このような端末装置において、主表示用領域に全体を表示しきれないデータを表示させる場合、ユーザは表示させたい部分をスクロール操作によって選択しなければならない。特に情報量の多いデータであったり、縦横サイズの大きい画像データであったりする場合には、多くのスクロールをさせる必要があり、ユーザ操作が煩雑であって容易ではない。
【０００５】
その煩雑さを解消するために、表示させる部分を選択するための選択用情報（たとえば、複数ページを含むデータの場合には、各ページの縮小イメージ）を主表示用領域に表示させ、その選択用情報に基づいて、ユーザが所望の部分を選択することができるようになっている端末装置もある。
【０００６】
しかしながら、このような端末装置では、選択用情報が主表示用領域に表示されているために、データの表示内容（全体又は部分）を表示できずに、ユーザがデータの表示内容を確認できないという弊害がある。さらには、表示内容を確認できないために、ユーザはそのデータにどのような操作を行うかを判断することができない。表示内容を確認できるようにするためには表示内容を主表示用領域に表示させるための操作が必要となり、やはりユーザ操作が煩雑であって容易ではない。
【０００７】
本発明はこのような事情に鑑みてなされたもので、表示させるデータに応じて、表示を制御することによって、ユーザ操作を容易にすることが可能な端末装置、及びプログラムを提供することを目的とする。
【課題を解決するための手段】
【０００８】
本発明のうち請求項１に記載の発明は、第１表示領域と第２表示領域とを有する端末装置であって、前記第１表示領域に表示させるデータを指定する指定手段と、前記指定手段によって指定されたデータの表示内容の全体を前記第１表示領域に表示可能か否かを判別する判別手段と、前記判別手段によって、前記データの表示内容の全体を前記第１表示領域に表示可能でないと判別された場合に、前記データの表示内容のどの部分を前記第１表示領域に表示させるかを選択するための選択用情報を前記第２表示領域に表示させる第１表示制御手段と、を備えることとする。
【０００９】
また、本発明のうち請求項２に記載の発明は、請求項１に記載の端末装置であって、前記第１表示制御手段は、前記選択用情報を前記第２表示領域に表示させるとともに、前記データの表示内容の所定の部分を前記第１表示領域に表示させることとする。
【００１０】
また、本発明のうち請求項３に記載の発明は、請求項１に記載の端末装置であって、前記第１表示制御手段は、前記判別手段によって、前記データの表示内容の全体を前記第１表示領域に表示可能であると判別された場合に、前記データに対して行う操作を指示するための操作用情報を前記第２表示領域に表示させることとする。
【００１１】
また、本発明のうち請求項４に記載の発明は、請求項３に記載の端末装置であって、前記第１表示制御手段は、前記操作用情報を前記第２表示領域に表示させるとともに、前記データの表示内容の全体を前記第１表示領域に表示させることとする。
【００１２】
また、本発明のうち請求項５に記載の発明は、請求項１に記載の端末装置であって、前記第２表示領域への接触操作を検出する検出手段と、前記選択用情報と、前記検出手段によって検出された前記第２表示領域への接触操作とに基づいて、前記データの表示内容のどの部分を前記第１表示領域に表示させるかを選択する選択手段と、前記選択手段によって選択された部分を前記第１表示領域に表示させる第２表示制御手段とをさらに備えることとする。
【００１３】
また、本発明のうち請求項６に記載の発明は、請求項１に記載の端末装置であって、前記判別手段は、前記データに複数ページまたは複数シートが含まれていないか否かを判別することによって、前記データの表示内容の全体を前記第１表示領域に表示可能か否かを判別することとする。
【００１４】
また、本発明のうち請求項７に記載の発明は、請求項１に記載の端末装置であって、前記判別手段は、前記データに含まれる情報量に基づいて、前記データの表示内容の全体を前記第１表示領域に表示可能か否かを判別することとする。
【００１５】
また、本発明のうち請求項８に記載の発明は、請求項１に記載の端末装置であって、前記判別手段は、前記データの表示内容の全体を所定の縮尺で前記第１表示領域に表示可能か否かを判別することによって、前記データの表示内容の全体を前記第１表示領域に表示可能か否かを判別することとする。
【００１６】
また、本発明のうち請求項９に記載の発明は、プログラムであって、コンピュータに、第１表示領域に表示させるデータを指定する機能と、前記データの表示内容の全体を前記第１表示領域に表示可能か否かを判別する機能と、前記データの表示内容の全体を前記第１表示領域に表示可能でないと判別された場合に、前記データの表示内容のどの部分を前記第１表示領域に表示させるかを選択するための選択用情報を第２表示領域に表示させる機能とを実現させる。
【発明の効果】
【００１７】
本発明によれば、表示させるデータに応じて、表示を制御することによって、ユーザ操作を容易にすることができる。
【発明を実施するための最良の形態】
【００１８】
以下、実施形態について説明する。
（１−１）装置構成
図１に実施形態として説明するシステムの構成図を示している。端末装置の一例として示す携帯電話機１は、交換機２を介して無線通信網３に接続している基地局４と通信することにより、他の携帯電話機等の通話装置と音声通話を行う。無線通信網３は、ゲートウェイ等を介してインターネット５に接続しており、携帯電話機１は、インターネット５上の情報処理装置（電子メールサーバ、Ｗｅｂサーバなど）との間でデータ通信を行うこともできる。
【００１９】
なお、本実施形態では携帯電話機１を端末装置の一例として示しているが、端末装置は必ずしもこれに限られない。たとえば、ノート型又はデスクトップ型のパーソナルコンピュータ、ＰＤＡ（Personal Digital Assistant）などの携帯型情報端末、デジタルカメラ、音楽プレーヤ、及び携帯型ゲーム機などの任意の装置であってよい。
【００２０】
図２に携帯電話機１のブロック図を示す。同図に示すように、携帯電話機１は、中央制御部１１、ＲＡＭ１２（RAM : Random Access Memory）、ＲＯＭ１３（ROM : Read Only Memory）、無線通信送受信部１４、音声信号処理部１６、表示・操作制御部１８、ＲＴＣ１９（RTC : Real Time Clock）、及び報知部２０を有している。
【００２１】
中央制御部１１は、ＣＰＵ（Central Processing Unit)、ＭＰＵ（Micro Processing Unit）等を用いて構成されている。中央制御部１１は、携帯電話機１の統括的な制御を行うとともに携帯電話機１が提供する各種の機能を実現する。
【００２２】
ＲＡＭ１２には、所定のデータを記憶するデータ記憶部１２３がある。ＲＯＭ１３には、携帯電話機１が提供する各種の機能を実現するためのプログラムやデータが記憶されている。また、ＲＡＭ１２又はＲＯＭ１３には電話番号やメールアドレス等の情報が記憶されている。
【００２３】
無線通信送受信部１４は、ＤＳＰ（Digital Signal Processor）などを用いて構成され、基地局４との間で無線通信を行って当該携帯電話機１を無線通信網３やインターネット５に通信可能に接続する。
【００２４】
音声信号処理部１６は、マイクロフォンに入力されるアナログの音声信号をデジタル信号に変換して中央制御部１１に入力する。また、音声信号処理部１６は、中央制御部１１から入力されるデジタル信号をアナログの音声信号に変換してスピーカに入力する。
【００２５】
主表示画面１７１及び主操作画面１７２は、たとえば、液晶ディスプレイ（液晶パネル）、有機ＥＬディスプレイ、電子ペーパ（電気泳動方式、液晶方式、電界析出方式、感熱方式、ＭＥＭＳ（MEMS : Micro Electro Mechanical Systems）方式）、及びブラウン管モニタなどである。主表示画面１７１はタッチパネル（接触センサ）を有しないが主操作画面１７２はタッチパネルを有している。
【００２６】
図３に携帯電話機１の外観斜視図を示している。同図に示すように、携帯電話機１は、蝶番１０１を介して開閉自在に接続された２つの筐体１０２，１０３を有するシェル型の外形状を呈している。同図に示すように、主表示画面１７１は筐体１０２の内周側に設けられ、主操作画面１７２は筐体１０３の内周側に設けられている。
【００２７】
なお、主表示画面１７１及び主操作画面１７２の形態は、必ずしもここに示したものに限られない。主表示画面１７１及び主操作画面１７２は任意の表示デバイスであってよい。また、主表示画面１７１はタッチパネルを有しないとしているが、タッチパネルを有していてもよい。
【００２８】
表示・操作制御部１８は、主操作画面１７２に対して行われた操作を電気信号に変換して中央制御部１１に伝える。また、表示・操作制御部１８は、中央制御部１１から入力される映像信号に対応する映像を主表示画面１７１及び主操作画面１７２に表示する。
【００２９】
ＲＴＣ１９は、日付や時刻などの現在の時刻情報を出力するクロックである。
【００３０】
報知部２０は、サウンドスピーカ２０１、ＬＥＤ２０２、振動モータ２０３などを有し、通話の着信や電子メールの着信等があるとこれらの装置を動作させてその旨をユーザに報知する。
【００３１】
（１−２）動作例
次に携帯電話機１の具体的な動作について説明する。図４は携帯電話機１の動作を説明するフローチャートである。
【００３２】
主電源（主要動作用の電力供給）がオフされている状態において、携帯電話機１は電源オン操作が行われたか否かを監視している（Ｓ４１１）。電源オン操作がされたことを検知すると
（Ｓ４１１：ＹＥＳ）、携帯電話機１は主電源をオンする処理を実行し（Ｓ４１２）、位置登録処理などの携帯電話機１を無線通信網３に接続するのに必要な処理（以下、待受処理と称する。）を行う（Ｓ４１３）。
【００３３】
待受処理（Ｓ４１３）の開始後において、携帯電話機１は主操作画面１７２に対して所定データの記憶を指示する操作（以下、データ記憶操作と称する。）が行われたか否かを判断する（Ｓ４１４）。ここで所定のデータとは、当該携帯電話機１を用いて作成又は編集された文書データや画像データ、インターネット５を通じてダウンロードされたデータ等である。また、データ記憶操作とは、データ記憶部１２３への所定のデータの保存（記憶）を指示する操作である。データ記憶操作が行われたことを検知すると（Ｓ４１４：ＹＥＳ）、携帯電話機１は所定のデータをデータ記憶部１２３に保存する（Ｓ４１５）。その後はＳ４１４に戻る。
【００３４】
Ｓ４１４において、データ記憶操作が行われない場合（Ｓ４１４：ＮＯ）、携帯電話機１は所定のデータを指定する操作（以下、データ指定操作と称する。）が行われたか否かを判断する（Ｓ４１６）。ここでデータ指定操作とは、表示閲覧や編集等のために表示閲覧や編集等の対象となるデータを指定する操作である。データ指定操作が行われたことを検知した場合（Ｓ４１６：ＹＥＳ）、携帯電話機１は機能処理（図５に詳述）を実行する（Ｓ４１７）。その後はＳ４１４に戻る。
【００３５】
データ指定操作（Ｓ４１６）が行われる際の主表示画面１７１及び主操作画面１７２の表示例を図８Ａに示す。同図に示す例では、主表示画面１７１には指定可能なデータのデータ名が表示されており、一方、主操作画面１７２には主表示画面１７１に表示されているデータを指定するためのソフトキー（疑似操作キー）が表示されている。携帯電話機１は、ユーザが主操作画面１７２のタッチパネルの所定位置をタッチすると当該位置に表示されているソフトキーに対応する操作が行われたと認識する。
【００３６】
Ｓ４１６において、データ指定操作が行われたことを検知しない場合（Ｓ４１６：ＮＯ）、次に携帯電話機１は着信を検出したか否かを判断する（Ｓ４１８）。着信を検出した場合（Ｓ４１８：ＹＥＳ）、携帯電話機１は通話処理を実行し（Ｓ４１９）、その後はＳ４１４に戻る。
【００３７】
Ｓ４１８において着信を検出しない場合（Ｓ４１８：ＮＯ）、携帯電話機１は、電源をオフする操作（以下、電源オフ操作と称する。）が行われたか否かを判断する（Ｓ４２０）。電源オフ操作が行われたことを検知した場合（Ｓ４２０：ＹＥＳ）、携帯電話機１は主電源をオフする処理を実行する（Ｓ４２１）。
【００３８】
Ｓ４２０において、電源オフ操作が行われない場合（Ｓ４２０：ＮＯ）、次に携帯電話機１は、その他の操作（発信操作や電子メールに関する操作など）が行われたか否かを判断する（Ｓ４２２）。その他の操作が行われた場合（Ｓ４２２：ＹＥＳ）、携帯電話機１は、その他の処理（発信処理や電子メールに関する処理）を行う（Ｓ４２３）。その後はＳ４１４に戻る。
【００３９】
図５は、図４の機能処理（Ｓ４１７）の詳細を説明するフローチャートである。まず携帯電話機１は、Ｓ４１６で検知したデータ指定操作によって指定されたデータの種別（画像データ、ＰＤＦデータ（PDF : Portable Document Format）等）を判別する（Ｓ５１１、Ｓ５１２）。判別の結果、指定されたデータが画像データであった場合（Ｓ５１２：ＹＥＳ）、携帯電話機１は画像データ処理（図６）を実行する（Ｓ５１３）。一方、判別の結果、指定されたデータがＰＤＦデータであった場合（Ｓ５１２：ＮＯ）、携帯電話機１はＰＤＦデータ処理（図７）を実行する（Ｓ５１４）。
【００４０】
図６は、図５の画像データ処理（Ｓ５１３）の詳細を説明するフローチャートである。まず携帯電話機１は、画像データの編集機能を起動する（Ｓ６１１）。次に携帯電話機１は、編集対象の画像データの全体を原寸大で主表示画面１７１に表示可能か否かを判断する（Ｓ６１２）。表示可能と判断した場合（Ｓ６１２：ＹＥＳ）、携帯電話機１は画像データの全体を原寸大で主表示画面１７１に表示する（Ｓ６１３）。
【００４１】
一方、表示不可能と判断した場合（Ｓ６１２：ＮＯ）、携帯電話機１は主表示画面１７１に画像データの中心周辺を原寸大で表示（１画面に表示しきれない表示）し（Ｓ６１４）、主操作画面１７２に選択用情報として画像データの全体を表示（１画面に表示しきれる縮尺で表示）する（Ｓ６１５）。この際の主表示画面１７１及び主操作画面１７２の表示例を図８Ｂに示す。
【００４２】
なお、Ｓ６１２では、画像データの全体を原寸大で主表示画面１７１に一度に表示可能か否かを判断しているが、原寸大に限らず、たとえば、予め指定された縮尺で表示可能か否かを判断するようにしてもよいし、当該画像データを前回表示時と同じ縮尺で表示可能か否かを判断するようにしてもよい。Ｓ６１４では、画像データの中心周辺を原寸大で主表示画面１７１に表示しているが、中心周辺に限らず、たとえば、予め指定された部分周辺を表示するようにしてもよいし、当該画像データの前回表示時に表示されていた部分周辺を表示するようにしてもよい。Ｓ６１５では、画像データの全体を選択用情報として主操作画面１７２に表示するようにしているが、全体表示に限らず、部分を選択することが可能な表示であればよい。
【００４３】
次のＳ６１６では、携帯電話機１は、画像データの表示させたい部分を選択する操作（以下、部分選択操作と称する。）が行われたか否かを監視する（Ｓ６１６：ＮＯ）。部分選択操作が行われると（Ｓ６１６：ＹＥＳ）、携帯電話機１は、画像データの選択された部分周辺を原寸大で主表示画面１７１に表示し（Ｓ６１７）、主操作画面１７２に操作用情報としてソフトキーを表示する（Ｓ６１８）。なお、部分選択操作は、たとえば、主操作画面１７２にタッチして表示させたい部分を選択する操作である。
【００４４】
Ｓ６１７及びＳ６１８における主表示画面１７１及び主操作画面１７２の表示例を図８Ｃに示す。同図において主表示画面１７１の表示は１画面に表示しきれない表示である。ユーザは、ソフトキーを操作することにより画像の拡大／縮小表示に関する操作や画像の編集操作などの任意の操作をすることができる。
【００４５】
次に携帯電話機１は、主操作画面１７２に表示されているソフトキーに対し、画像データの編集を開始するための操作（以下、編集操作と称する。）が行われたか否かを判断する（Ｓ６１９）。編集操作が行われると（Ｓ６１９：ＹＥＳ）、携帯電話機１はその編集操作に対応する編集処理を行う（Ｓ６２０）。編集後はＳ６１９に戻る。
【００４６】
一方、編集操作が行われない場合（Ｓ６１９：ＮＯ）、携帯電話機１は画像データの所定部分を再選択する操作（以下、部分再選択操作と称する。）が行われたか否かを判断する（Ｓ６２１）。部分再選択操作が行われた場合には（Ｓ６２１：ＹＥＳ）、Ｓ６１５に戻る。
【００４７】
一方、部分再選択操作が行われない場合（Ｓ６２１：ＮＯ）、携帯電話機１は、ソフトキーに対して画像データの編集を終了するための操作（以下、機能終了操作と称する。）が行われたか否かを判断する（Ｓ６２２）。機能終了操作が行われた場合（Ｓ６２２：ＹＥＳ）、携帯電話機１は画像データの編集機能を終了する（Ｓ６２３）。その後は図４のＳ４１４に戻る。
【００４８】
一方、機能終了操作が行われない場合（Ｓ６２２：ＮＯ）、携帯電話機１は、ソフトキーに対し、その他の操作が行われたか否かを判断する（Ｓ６２４）。その他の操作が行われた場合（Ｓ６２４：ＹＥＳ）、その他の操作に対応する処理を行う（Ｓ６２５）。その後はＳ６１９に戻る。その他の操作が行われない場合（Ｓ６２４：ＮＯ）はＳ６１９に戻る。
【００４９】
図７は、図５のＰＤＦデータ処理（Ｓ５１４）の詳細を説明するフローチャートである。まず携帯電話機１は、ＰＤＦデータの編集機能を起動する（Ｓ７１１）。次に携帯電話機１は、編集対象のＰＤＦデータに複数ページが含まれているか否かを判断する（Ｓ７１２）。複数ページが含まれていない場合（Ｓ７１２：ＹＥＳ）、携帯電話機１は主表示画面１７１に当該ＰＤＦデータの１ページ目の左上周辺を原寸大で表示し（Ｓ７１３）、その後、Ｓ７２１に進む。
【００５０】
ここでＰＤＦデータの内容が表計算データである場合には、Ｓ７１２で複数シートが含まれているか否かを判断するようにしてもよい。ＰＤＦデータの内容がテキスト文字列である場合には、Ｓ７１２で主表示画面１７１に表示可能な行数か否か、もしくは、主表示画面１７１に表示可能な文字数か否かを判断するようにしてもよい。
【００５１】
また、Ｓ７１３における主表示画面１７１の表示は左上周辺に限らない。たとえば、予め指定された部分や当該ＰＤＦデータの前回表示時の表示部分を表示するようにしてもよい。また、原寸大に限らず、予め指定された縮尺で表示してもよいし、当該ＰＤＦデータの前回表示時の縮尺で表示するようにしてもよい。
【００５２】
Ｓ７１２において、ＰＤＦデータに複数のページが含まれている場合（Ｓ７１２：ＮＯ）、携帯電話機１は、主表示画面１７１に当該ＰＤＦデータの１ページ目の左上周辺を原寸大で表示し（Ｓ７１４）、主操作画面１７２に選択用情報として複数ページの縮小イメージを表示する（Ｓ７１５）。この際の主表示画面１７１及び主操作画面１７２の表示例を図８Ｄに示す。同図において、主操作画面１７２にはＰＤＦデータの１ページ目から４ページ目の縮小イメージが表示されている。
【００５３】
なお、Ｓ７１４で主表示画面１７１に表示する内容は左上周辺に限らず、たとえば、予め指定された部分や当該ＰＤＦデータの前回表示時に表示されていた部分を表示するようにしてもよい。また、原寸大に限らず、予め指定された縮尺で表示してもよいし、当該ＰＤＦデータの前回表示時の縮尺で表示するようにしてもよい。また、主表示画面１７１の表示は１ページ目に限らず、たとえば、予め指定されたページを表示するようにしてもよいし、当該ＰＤＦデータの前回表示時に表示されていたページを表示するようにしてもよい。
【００５４】
Ｓ７１６において、携帯電話機１は、主操作画面１７２に対してページを選択する操作（以下、ページ選択操作と称する。）が行われたか否かを監視する（Ｓ７１６：ＮＯ）。ページ選択操作が行われた場合（Ｓ７１６：ＹＥＳ）、携帯電話機１は、主表示画面１７１に選択されたページの左上周辺を原寸大で表示し（Ｓ７１７）、主操作画面１７２に選択用情報として選択されたページの全体を表示する（Ｓ７１８）。
【００５５】
図８Ｅは、図８Ｄの主操作画面１７２において２ページ目が選択された場合における主表示画面１７１及び主操作画面１７２の表示例である。同図に示すように、主表示画面１７１には、ＰＤＦデータの２ページ目（選択されたページ）が左上から原寸で表示されている。また、主操作画面１７２には、ＰＤＦデータの２ページ目の全体が表示（１画面に表示しきれる縮尺で表示）されている。
【００５６】
なお、Ｓ７１７における主表示画面１７１の表示は左上周辺に限らず、たとえば、予め指定された部分や当該ＰＤＦデータの前回表示時の表示部分を表示するようにしてもよい。また、原寸大に限らず、予め指定された縮尺で表示してもよいし、当該ＰＤＦデータの前回表示時の縮尺で表示するようにしてもよい。また、Ｓ７１８における主操作画面１７２の表示は、選択用情報として選択されたページ全体を表示する場合に限らず、次のＳ７１９において部分を選択可能な表示であればよい。
【００５７】
次に携帯電話機１は、主操作画面１７２に対してＰＤＦデータの表示させたい部分を選択する操作（以下、部分選択操作と称する。）が行われたか否かを監視する（Ｓ７１９：ＮＯ）。なお、部分選択操作は、主操作画面１７２にタッチして表示させた部分を選択する操作である。部分選択操作が行われたことを検知すると（Ｓ７１９：ＹＥＳ）、携帯電話機１は、主表示画面１７１に選択されたページの選択された部分周辺を原寸大で表示し（Ｓ７２０）、主操作画面１７２に操作用情報としてソフトキーを表示する（Ｓ７２１）。なお、Ｓ７２０における主表示画面１７１の表示は原寸大に限らず、予め指定された縮尺で表示してもよいし、当該ＰＤＦデータの前回表示時の縮尺で表示するようにしてもよい。
【００５８】
Ｓ７２０及びＳ７２１における主表示画面１７１及び主操作画面１７２の表示例を図８Ｆに示す。同図に示すように、主表示画面１７１には、ＰＤＦデータの２ページ目のＳ７１９において選択された部分周辺が原寸表示（１画面に表示しきれない表示）されている。また、主操作画面１７２にはソフトキーが表示されている。ユーザは、ソフトキーを操作して表示内容の拡大／縮小表示に関する操作や表示内容の編集操作などの任意の操作をすることができる。
【００５９】
次に携帯電話機１は、主操作画面１７２に表示されているソフトキーに対し、ＰＤＦデータの編集を開始する操作（以下、編集操作と称する。）が行われたか否かを判断する（Ｓ７２２）。編集操作が行われた場合（Ｓ７２２：ＹＥＳ）、携帯電話機１はその編集操作に対応する編集処理を行う（Ｓ７２３）。編集後はＳ７２２に戻る。
【００６０】
一方、編集操作が行われない場合（Ｓ７２２：ＮＯ）、携帯電話機１はＰＤＦデータの所定部分を再選択する操作（以下、部分再選択操作と称する。）が行われたか否かを判断する（Ｓ７２４）。部分再選択操作が行われた場合には（Ｓ７２４：ＹＥＳ）、Ｓ７１５に戻る。
【００６１】
部分再選択操作が行われない場合（Ｓ７２４：ＮＯ）、携帯電話機１は、ソフトキーに対し、ＰＤＦデータの編集を終了するための操作（以下、機能終了操作と称する。）が行われたか否かを判断する（Ｓ７２５）。機能終了操作が行われた場合（Ｓ７２５：ＹＥＳ）、携帯電話機１はＰＤＦデータの編集機能を終了する（Ｓ７２６）。その後は図４のＳ４１４に戻る。
【００６２】
一方、機能終了操作が行われない場合（Ｓ７２５：ＮＯ）、携帯電話機１は、ソフトキーに対し、その他の操作が行われたか否かを判断する（Ｓ７２７）。その他の操作が行われた場合（Ｓ７２７：ＹＥＳ）、その他の操作に対応する処理を行う（Ｓ７２８）。その後はＳ７２２に戻る。その他の操作が行われない場合（Ｓ７２７：ＮＯ）はＳ７２２に戻る。
【００６３】
ところで、以上の説明では、第１表示領域と第２表示領域を別々の画面（主表示画面１７１と主操作画面１７２）としているが、これらを１つの画面内の別々の表示領域としてもよい。
【００６４】
また、指定するデータの種別を画像データ、ＰＤＦデータとしているが（図５）、データの種別はこれに限られない。たとえば、テキストデータ、表計算データ、ＨＴＭＬデータなど、任意の種別のデータでよい。
【００６５】
以上によれば、表示させるデータに応じて、そのデータの選択用情報を表示させることによって、ユーザ操作を容易にすることができる。
【００６６】
データの表示内容の全体を第１表示領域に表示可能でない場合には、第２表示領域に表示されている選択用情報に基づいて、ユーザは第１表示領域に表示させるデータの表示内容の部分を容易に選択することができる。
【００６７】
データの表示内容の全体を第１表示領域に表示可能でない場合に、第１表示領域に表示させる部分の選択を行わなくても、ユーザは少なくともデータの所定の部分の表示内容を確認することができる。たとえば、複数のページが含まれているデータの場合、先頭ページや前回表示されていたページの表示内容を最初に確認することができる。あるいは縦横サイズの大きい画像データの場合、表示させる部分の選択を行う前であっても、画像データの中心や前回表示されていた部分の表示内容などを確認することができる。
【００６８】
データの表示内容の全体を第１表示領域に表示可能である場合に、第２表示領域に表示されている操作用情報に基づいて、ユーザはそのデータに対して容易に操作を行うことができる。
【００６９】
ユーザは、指定されたデータの表示内容を確認しながら、そのデータに対して操作を行うことができる。たとえば、テキストデータのテキストを確認しながら、そのテキストの編集操作を行うことができる。
【００７０】
ユーザは第２表示領域に表示されている選択用情報に対応した接触操作を行うことによって、第１表示領域に表示させる部分を容易に選択することができる。
【００７１】
たとえば、複数ページに亘るＰＤＦデータやＨＴＭＬデータ、複数のシートが含まれる表計算データなどのように、指定されたデータに複数ページまたは複数シートが含まれている場合に、ユーザは表示させる部分を容易に選択することができる。
【００７２】
たとえば、文字数や行数の多いテキストデータや画素数の多い画像データなどのように、指定されたデータに含まれる情報量が第１表示領域に表示しきれない情報量の場合に、ユーザは表示させる部分を容易に選択することができる。
【００７３】
たとえば、画像データを原寸大で第１表示領域に表示しきれない場合や、テキストデータを予め指定された文字サイズで第１表示領域に表示しきれない場合のように、指定されたデータの表示内容の全体を所定の縮尺で第１表示領域に表示可能でない場合に、ユーザは表示させる部分を容易に選択することができる。
【図面の簡単な説明】
【００７４】
【図１】実施形態として説明するシステムの構成図である。
【図２】携帯電話機１のブロック図である。
【図３】携帯電話機１（開いた状態）を示す外観斜視図である。
【図４】携帯電話機１の動作を説明するフローチャートである。
【図５】携帯電話機１の動作を説明するフローチャートである。
【図６】携帯電話機１の動作を説明するフローチャートである。
【図７】携帯電話機１の動作を説明するフローチャートである。
【図８Ａ】主表示画面１７１及び主操作画面１７２の表示例を示す図である。
【図８Ｂ】主表示画面１７１及び主操作画面１７２の表示例を示す図である。
【図８Ｃ】主表示画面１７１及び主操作画面１７２の表示例を示す図である。
【図８Ｄ】主表示画面１７１及び主操作画面１７２の表示例を示す図である。
【図８Ｅ】主表示画面１７１及び主操作画面１７２の表示例を示す図である。
【図８Ｆ】主表示画面１７１及び主操作画面１７２の表示例を示す図である。
【符号の説明】
【００７５】
１  携帯電話機
２  交換機
３  無線通信網
４  基地局
５  インターネット
１１  中央制御部
１２  ＲＡＭ
１２３  データ記憶部
１４  無線通信送受信部
１６  音声信号処理部
１７１  主表示画面
１７２  主操作画面
１８  表示・操作制御部
１９  ＲＴＣ
２０  報知部
【図２】
0004953135.tif 000002
【図４】
0004953135.tif 000003
【図５】
0004953135.tif 000004
【図６】
0004953135.tif 000005
【図７】
0004953135.tif 000006
【図８Ｅ】
0004953135.tif 000007
【図１】
0004953135.tif 000008
【図３】
0004953135.tif 000009
【図８Ａ】
0004953135.tif 000010
【図８Ｂ】
0004953135.tif 000011
【図８Ｃ】
0004953135.tif 000012
【図８Ｄ】
0004953135.tif 000013
【図８Ｆ】
0004953135.tif 000014